(57)【特許請求の範囲】
【請求項１】
画像を表示する観賞物と、前記観賞物に対して観賞位置側に配置され、前記観賞位置から前記観賞物を見た場合に前記観賞物の少なくとも一部を遮蔽する観賞演出材と、を配する工程を有する展示方法であって、
前記観賞位置から観賞可能な前記観賞物の観賞領域を決定する決定工程と、
前記観賞領域の輝度を取得する取得工程と、
前記取得工程で取得した前記観賞物の前記観賞領域の輝度に応じて、（ｉ）前記観賞物の前記観賞領域の平均輝度値が、輝度の測定範囲における下限値と上限値との間の中間値以上の場合は、前記観賞位置から観賞可能な前記観賞演出材の観賞領域の平均輝度値が、前記観賞物の観賞領域の前記平均輝度値以下となり、（ｉｉ）前記観賞物の前記観賞領域の前記平均輝度値が前記中間値未満の場合は、前記観賞演出材の前記観賞領域の平均輝度値が、前記観賞物の前記観賞領域の前記平均輝度値以上となるように、前記観賞演出材の前記観賞領域の輝度を決定する工程と、
を含むことを特徴とする展示方法。
【請求項２】
前記取得工程において、輝度計測機器を用いて前記観賞物の前記観賞領域の輝度を測定することを特徴とする請求項１に記載の展示方法。
【請求項３】
前記観賞物の前記観賞領域に照明を当てる工程を含むことを特徴とする請求項１または２に記載の展示方法。
【請求項４】
前記取得工程において、前記観賞物の前記観賞領域に照明を当てた状態で輝度計測機器を用いて前記観賞物の前記観賞領域の輝度を測定することを特徴とする請求項１から３のいずれか１項に記載の展示方法。
【請求項５】
前記観賞演出材の前記観賞領域に照明を当てる工程を含むことを特徴とする請求項１から４のいずれか１項に記載の展示方法。
【請求項６】
前記観賞演出材の前記観賞領域に照明を当てる前記工程は、前記取得工程による前記観賞物の前記観賞領域の輝度の測定結果に基づいて、前記観賞演出材の前記観賞領域に当てる照明の照度を調整することを特徴とする請求項５に記載の展示方法。
【請求項７】
前記決定工程は、前記観賞物の前記観賞領域を、所定の観賞推奨範囲のいずれの位置からも観賞可能な領域に決定することを特徴とする請求項１から６のいずれか１項に記載の展示方法。
【請求項８】
前記観賞物は、記録媒体にインクジェットプリンタにより画像がプリントされたプリント物であることを特徴とする請求項１から７のいずれか１項に記載の展示方法。
【請求項９】
前記観賞物は写真であることを特徴とする請求項１から８のいずれか１項に記載の展示方法。
【発明の詳細な説明】
【技術分野】
【０００１】
本発明は、展示方法に関し、詳しくは、プリント物や絵画等の観賞物を展示するための展示方法に関する。
【背景技術】
【０００２】
従来、展示セットの一例として、特許文献１に記載されるような、疑似窓が知られている。これは、会議室等の静粛性の確保や秘密漏洩に対する防御のために窓を設置出来ない環境において設置されるものであり、表示部に窓の外に存在し得る風景の画像を表示し、その前面に疑似的な窓枠を設置したものである。これにより、室内の人間にあたかも実際の野外の風景を眺めているかのような疑似体験をさせることを可能としている。
【先行技術文献】
【特許文献】
【０００３】
【特許文献１】特開２００８−２９７８０３号公報
【発明の概要】
【発明が解決しようとする課題】
【０００４】
しかしながら、特許文献１に記載の展示セットでは、表示される窓外の風景を見るときの「臨場感」に乏しい場合がある。単に窓を配置するだけでは臨場感が乏しく、特許文献１が目的としているような疑似体験をさせるという効果は十分ではない。なぜなら、観賞物に立体感や没入感といった「臨場感」を効果的に演出するには、展示セットにおける、観賞者と観賞物そして展示環境を演出する観賞演出材の位置関係を適切に制御することが重要だからである。特許文献１では、鑑賞演出材としての窓と観賞物、観賞者の関係を制御できていないだけでなく、演出材（窓）の開閉により前記位置関係が崩れてしまうため、臨場感の低下が発生してしまう。
【０００５】
室内の人間にあたかも野外の風景を眺めているかのような疑似体験をさせるためには、室内の人間が移動した場合に表示部である観賞物と疑似的な窓扉である観賞演出材によって生じる運動視差によって生じる奥行き感や没入感といった臨場感が重要となる。これは、上記の疑似窓だけでなく、一般的なセットにおいても同様である。
【０００６】
しかしながら、上記の展示セットでは、臨場感を感じさせるための重要な要素である運動視差を効果的に発生させるための前面に存在する部材である窓枠が示す明るさと奥に存在する観賞物である表示部が示す明るさの関係が適切でない懸念がある。
【０００７】
本発明は、展示セットにおける前面に存在する部材と観賞物との明るさの関係を適切な関係とすることで運動視差を効果的に発生させることにより、臨場感を向上させることが可能な展示方法を提供することを目的とする。
【課題を解決するための手段】
【０００８】
本発明の展示方法は、画像を表示する観賞物と、前記観賞物に対して観賞位置側に配置され、前記観賞位置から前記観賞物を見た場合に前記観賞物の少なくとも一部を遮蔽する観賞演出材と、を配する工程を有する展示方法であって、前記観賞位置から観賞可能な前記観賞物の観賞領域を決定する決定工程と、前記観賞領域の輝度を取得する取得工程と、前記取得工程で取得した前記観賞物の前記観賞領域の輝度に応じて、（ｉ）前記観賞物の前記観賞領域の平均輝度値が、輝度の測定範囲における下限値と上限値との間の中間値以上の場合は、前記観賞位置から観賞可能な前記観賞演出材の観賞領域の平均輝度値が、前記観賞物の観賞領域の前記平均輝度値以下となり、（ｉｉ）前記観賞物の前記観賞領域の前記平均輝度値が前記中間値未満の場合は、前記観賞演出材の前記観賞領域の平均輝度値が、前記観賞物の前記観賞領域の前記平均輝度値以上となるように、前記観賞演出材の前記観賞領域の輝度を決定する工程と、を含むことを特徴とする。
【発明の効果】
【０００９】
以上の構成によれば、展示セットにおける前面に存在する部材と観賞物との明るさの関係を適切な関係とすることで、鑑賞者が移動した場合に鑑賞物の鑑賞領域と鑑賞演出材の鑑賞領域によって生じる運動視差を効果的に発生させることにより、臨場感を向上させることが可能となる。
【図面の簡単な説明】
【００１０】
【図１】（ａ）〜（ｄ）は、本発明の一実施形態に係る展示セットを説明する図である。
【図２】（ａ）〜（ｃ）は、観賞演出材の他の形態を示す斜視図である。
【図３】一実施形態に係る展示セットの、特に、観賞物と観賞演出材との関係、および観賞物を観賞する観賞者と観賞物における観賞対象画像との関係を説明する図である。
【図４】（ａ）〜（ｃ）は、本実施形態に係る運動視差を説明する図である。
【図５】（ａ）および（ｂ）は、図２（ｃ）に示した展示セットと同様の箱型の展示セットを示す図である。
【図６】人間の視覚に生じる側抑制を説明する図である。
【図７】本発明の一実施形態に係る、観賞物および観賞演出材における観賞領域を説明する図である。
【図８】（ａ）および（ｂ）は、第１実施形態に係る明るさ判定に基づく鑑賞物と鑑賞演出材の明るさ説明する図である。
【図９】（ａ）は、観賞領域Ａ１が明るい画像と判定された場合の観賞領域Ａ１の画像のヒストグラムを示し、（ｂ）は、明るさに対する人間の知覚を入出力関係で示す図である。
【図１０】（ａ）は、観賞領域Ａ１が暗い画像と判定された場合の観賞領域Ａ１の画像のヒストグラムを示し、（ｂ）は、明るさに対する人間の知覚を入出力関係で示す図である。
【図１１】本発明の第２の実施形態に係る、観賞物および観賞演出材における観賞領域および鑑賞者の観賞領域を説明する図である。
【図１２】第２の実施形態における観賞物の観賞領域を説明する図である。
【図１３】第２の実施形態に係る、観賞物および観賞演出材の照明を説明する図である。
【発明を実施するための形態】
【００１１】
以下、図面を参照して本発明の実施形態を詳細に説明する。なお、以下の実施形態に記載されている構成要素はあくまで例示であり、本発明の範囲をそれらのみに限定する趣旨のものではないことはもちろんである。
【００１２】
図１（ａ）〜（ｄ）は、本発明の一実施形態に係る展示セットを説明する図である。これらの図において、１０１は観賞物を示しており、この観賞物は、インクジェットプリンタで画像が記録されあるいは絵が描かれた、シートやパネルとすることができる。この観賞物１０１は、壁などの展示面１０３に固定される。なお、観賞物は、展示面に直接記録されまたは描かれた画像などであってもよい。１０２は観賞演出材を示し、観賞物に対して観賞位置側に配され、木製ボードの表面に均一な色の紙を貼って形成したものである。なお、観賞演出材はこの形態に限られるものではなく、例えば、木製ボードに対して塗装などの処理を施したものや、カラーのプラスチック板、金属の板などを用いることもできる。図１（ａ）に示すように、観賞演出材１０２は、観賞物１０１から距離Ｓの相対位置に配置される。
【００１３】
図１（ｂ）は、本実施形態の展示セットを正面から見た図であり、展示面は省略されている。また、図１（ｃ）は観賞物を、図１（ｄ）は観賞演出材１０２をそれぞれ正面から見た図である。図１（ｃ）に示すように、観賞物１０１には、観賞対象画像１０１ａ、１０１ｂが存在する。これらの観賞対象画像１０１ａ、１０１ｂは、観賞者が観賞物を見るときに、特に、注目して見る可能性のある対象となるものである。また、図１（ｄ）に示す例では、観賞演出材１０２は、所定の窓枠などの枠形状をしたものであるが、この形態限られない。観賞演出材は、詳細が後述されるように、観賞物の一部を遮蔽して観賞者から観賞物の一部が見えないようにする作用をするものであり、観賞者の移動による「運動視差」の効果や「奥行き感」を生じさせるものである。図１（ｄ）に示す枠形状の観賞演出材１０２は、幅ｄ２、ｄ３を持つそれぞれ縦演出材１０２ａ、１０２ｂと、横演出材１０２ｃ、１０２ｄを有して構成される。そして、縦演出材１０２ａと縦演出材１０２ｂとの間に、観賞物を観賞するための空間が構成され、同図に示す例では幅ｄ１を有するものである。縦演出材１０２ａ、１０２ｂそれぞれの幅ｄ２、ｄ３は、観賞者が、上述の、水平方向における境界１０５を視認させないような、幅ないし配置とすることができる。なお、この「境界」は、展示物１０１が、写真のように画像の周囲に余白があるものである場合は、その余白と画像との境界を含む趣旨である。後述されるように、これら縦演出材１０２ａ、１０２ｂおよび横演出材１０２ｃ、１０２ｄが示す明るさは、観賞物１０１が示す明るさとの関係で適切に定められている。さらに、本実施例形態における観賞演出材は、観賞物と観賞者の間に固定する。観賞演出材を用いることで観賞物に立体感、奥行き感や没入感といった「臨場感」を演出することができる。本発明ではその効果を十分に得るために、観賞演出材と観賞物、観賞者の適切な位置関係を制御するので、適切な位置に観賞演出材が固定されている方が効果を得やすい。例えば、観賞時に、観賞演出材が形状や位置を変化させると奥行き感等が低下してしまう状態が発生し、展示セットの臨場感が損なわれる懸念がある。ここで、その固定については、接着剤や治具等で固定してもよいが特にそういうことをせずに、床上の所望位置に鑑賞演出材を置き、その位置が維持できるように展示してあればよい。展示とともに鑑賞者が鑑賞演出材を移動しないように注意喚起を示すようにしてもよし、鑑賞者が移動すべきものと思い込んで、自分から鑑賞演出材を移動するようなことがなければ、平置きしておいてよい。
【００１４】
また、前述の理由から観賞演出材は固定されていることが望ましいため、実環境では本来あまり静止していないものよりは、実環境で静止しているものの方がよい。例えば動物を模った観賞演出材はそれが静止し続けることでむしろ違和感が生ずることも考えられ、実施形態の観賞演出材としては実環境で静止しているものを用いることが望ましい。  図２（ａ）〜（ｃ）は、観賞演出材の他の形態を示す斜視図であり、図１（ａ）と同様の図である。なお、これらの図では、展示面１０３の図示は省略されている。
【００１５】
図２（ａ）に示す観賞演出材２０１は、３つの縦演出材２０１ａ、２０１ｂ、２０１ｃを有するものであり、両端に円柱状の縦演出材２０１ａ、２０１ｂを配置し、中央に、両端よりは細い円柱状の縦演出材２０１ｃを配置したものである。さらに、図２（ｄ）に示す観賞演出材は、鑑賞物１０１の中央と左右端部それぞれとの間に固定された２つの角柱状の縦演出材２０５、２０６からなる。これらは鑑賞物と設定された間隔を置いて離れている。２つの角柱状の縦演出材２０５、２０６の最も鑑賞者側の表件から鑑賞物１０１０までの距離はＳである。また、図２（ｂ）に示す観賞演出材は、２つの樹木状の縦演出材２０２、２０３からなるものである。これらの鑑賞物との距離S１とS２は異なる。さらに、図２（ｃ）に示す観賞演出材２０４は、観賞演出材の水平方向両側の奥行き部分にも演出材が存在する、箱状（上下方向の上および下側には演出材は存在しない）のものである。図２において観賞物は平らな展示面上に存在しているが、観賞物の形状はこれに限らず、観賞者を取り囲むような円柱内部やドーム形状面に存在してもよい。そのような場合においても、観賞演出材を観賞者と観賞物間に固定して配置することが本実施例の特徴である。
【００１６】
以上のように、本発明の実施形態に係る観賞演出材は、少なくとも縦演出材が存在するものであり、この縦演出材が、観賞者に対して観賞物の一部を遮蔽し、また、観賞物と展示面との境界を観賞者が視認できないように、その配置などが定められることができる。
【００１７】
図３は、本実施形態に係る展示セットの、特に、観賞物１０１と、観賞演出材１０２との関係、および観賞物を観賞する観賞者３０１と観賞物における観賞対象画像１０１ａとの関係を説明する図である。なお、同図は、図１（ａ）と同様の図であるが、図３では、観賞演出材の縦演出材１０２ｃ、１０２ｄが追加されて形態となっている。
【００１８】
観賞者３０１（観賞物からの距離ｘ）が観賞物１０１を見るとき、先ず、人の眼の焦点調整機能が考慮される。すなわち、人の眼の焦点調整機能によって奥行きを認識できるのは、個人差があるが、一般的に２メートルであり、この距離より短い距離で観賞物を観賞すると、焦点調整機能によって観賞物１０１が平面に存在することを認識してしまい奥行き感が得られなくなる。この点から、観賞者が観賞する範囲として推奨される観賞推奨範囲３０２とするとき、観賞物１０１から最も近い距離３０４の条件として、上記２メートル以上とする。一方、観賞物と観賞者が最も遠くなる距離３０５の条件を、観賞者が観賞物１０１の観賞対象画像１０１ａの中央を注視したときに、観賞物１０１の水平方向の端１０４（展示面１０３との境界１０５）が、観賞者３０１の同じ水平方向の視野の範囲に入る距離以下とする。すなわち、人間の視野は、個人差はあるが、一般的に両目で同時に見える範囲は１２０度程度であり、上記最も遠い距離より長い距離では、観賞者の視野には観賞物の全体が入り、観賞者は観賞物がプリント物など平面的なものであると感じ、臨場感が損なわれてしまう。
【００１９】
この場合、上記境界が観賞者の水平方向の視野の範囲に入る距離そのものに設定した場合、上述したように、臨場感が損なわれるおそれがある。そこで、本実施形態は、観賞演出材１０２の縦演出材（１０２ａ、１０２ｂなど）によって、上記境界１０５が観賞者の視界に入らないようにする。
【００２０】
本発明の実施形態に係る、観賞演出材１０２は、観賞物１０１を観賞するときの立体感や没入感といった「臨場感」の効果を生じさせるものであり、その作用として、（１）運動視差の作用、（２）遮蔽と相対的大きさと密度、がある。
【００２１】
「運動視差」は、観賞者の視点または観賞対象画像（観賞物）が移動することによって生じる視差である。観賞演出材が、観賞者と観賞物との間に存在すると、観賞者が観賞物（の観賞対象画像）を注視しながら移動したときに、観賞演出材は視野内での変化量が大きく（速度が速く）、観賞物は変化量が小さい（速度が遅い）。この変化量ないし変化の速度の差が運動視差の作用である。
【００２２】
図４（ａ）〜（ｆ）は、本実施形態に係る運動視差を説明する図である。図４（ａ）に示す状態から、観賞者３０１が図４（ｂ）に示すように、観賞物演出材の縦演出材１０２ａ（縦演出材を代表的に表したもので、「１０２ａ」に限られない）を注視（５０５）しながら、Ｘ軸の負の方向に移動すると、図４（ｃ）に示すように、縦演出材１０２ａによる観賞対象画像１０１ａの遮蔽位置が変化する。さらに、図４（ｄ）に示すように、縦演出材１０２ａを注視（５０７）しながら、Ｘ軸の正の方向に移動した場合、図４（ｅ）、（ｆ）に示すように、鑑観賞物演出材の縦演出材１０２ａによる観賞物１０１の観賞対象画像１０１ａの遮蔽位置が変化する。このように、観賞者の移動に応じて、観賞者の視野内での観賞演出材の変化量と、観賞物上の視点の変化量に差が生じ、この違いにより観賞者は観賞する観照対象画像に奥行きを知覚する。このように、観賞演出材を用いることにより、観賞物に対する立体感や没入感といった「臨場感」の効果を生じさせることが可能となる。
【００２３】
「遮蔽」は、複数の対象物のうち、ある対象物が他の対象物の一部を隠している場合に、上記のある対象物が他の対象物より前に存在すると知覚する、人間の立体知覚の一種である。本実施形態では、観賞演出材１０２を観賞物１０１と観賞者３０１の間に置くことにより、観賞者は、それと観賞物との奥行きを知覚するとともに、観賞物と観賞演出材との距離からさらに観賞物の複数の観賞対象画像の空間的位相配置で経験的に奥行きを知覚する。
【００２４】
なお、観賞演出材を用いて観賞物を「遮蔽」する位置は、例えば、図２（ｃ）に示す「道路」１０１ｅのような「遠近感」を構成する観賞対象画像を遮蔽しない位置とする。上述した「運動視差」や「遮蔽」と同様、観賞物における「線遠近」要素は、これを観賞者が観賞可能なように観賞演出材を配置することが望ましい。
【００２５】
以下では、本発明の一実施形態に係る、観賞演出材１０２の明るさと観賞物１０１の明るさの関係の定め方について、図５（ａ）および（ｂ）に示す展示セットを例に取り説明する。図５（ａ）および（ｂ）は、図２（ｃ）に示した展示セットと同様の箱型の展示セットを示す図である。
【００２６】
以上説明した展示セットを観賞する際に、人間には側抑制とよばれる視覚システムの働きによって明るさの対比現象が生じる。図６は、この現象説明する図である。図６に示す領域６０１と領域６０２は物理的な明るさは等しい。これにも関わらず、人間が目で見て知覚する明るさは、側抑制の働きによって領域６０１の方が実際よりも暗く見え、領域６０２の方が実際よりも明るく見える。これは、視覚システムの神経細胞群は、互いに近くや隣接する別の神経細胞群と抑制しあっており、光が当たった神経細胞群自身は強く応答するとともに、周りにある神経細胞群の活動を抑制することに起因している。具体的には、図６に示す例では、領域６０３はより明るい白であることから、領域６０３に反応する神経細胞群は応答が強くなり、その結果、領域６０１に反応する神経細胞群は抑制される。その結果、領域６０１の灰色はより暗く見えることになる。一方、領域６０４はより暗い黒であることから、その領域に反応する神経細胞群には光が当たらず神経細胞群は働かない。その結果、領域６０２に反応する神経細胞群は抑制されず、領域６０１のように回りに白がある場合に比べて領域２０２の灰色はより明るく見える。
【００２７】
上記の視覚システムの働きは、展示セットを観賞する観賞者が感じる臨場感に大きな影響を及ぼす。そこで、本実施形態は、観賞者が観賞位置から観賞可能な観賞物の観賞領域と観賞演出材の観賞領域の明るさの関係を適切なものとにすることにより臨場感を向上させる。
【００２８】
（第１実施形態）
図７は、本発明の第１の実施形態に係る、観賞物および観賞演出材における観賞領域および鑑賞者の観賞位置を説明する図である。本実施形態は、図７に示すように、展示セットにおける観賞者の理想的な観賞位置３０１は特定の１点である。すなわち、以下に説明する、決定される明るさの関係による効果を最も良好に得ることができる位置である。この位置から観賞すると、観賞物１０１の全領域を見ることができ、その領域が観賞領域（以下、観賞領域Ａ１と称する）となる。また、観賞演出材１０２は、前面領域を観賞領域（以下、観賞領域Ｂ１と称する）とする。図７に示す例では、観賞者は、その観賞位置３０１から観賞演出材の前面しか見えない。そのため、観賞領域Ｂ１は、図５（ａ）に示した観賞演出材１０２の前面部分となる。
【００２９】
以下では、観賞領域Ａ１と観賞領域Ｂ１の明るさの関係を決定し、観賞領域Ａ１の明るさの平均値から観賞領域Ｂ１の明るさの平均値を決定する例を説明する。
【００３０】
先ず、観賞領域Ａ１の明るさとして輝度値を求める。本実施例では、観賞領域Ａ１（観賞物の全領域）に対して、観賞物を得るときの原画像（ＲＧＢ：各８ビット）から各画素の輝度値を、下記の式（１）により求める。
Ｙ＝０．２９９×Ｒ＋０．５８７×Ｇ＋０．１１４×Ｂ    （１）
【００３１】
次に、算出された画素総てについてそれぞれの輝度値の和を取り、総画素数で除することにより観賞領域Ａ１の平均輝度値を算出する。
【００３２】
次に、原画像が明るい画像か暗い画像かを判断するために、規定される輝度値の中間値を求める。本実施形態では、原画像がＲＧＢ８ビットであるため、原画像から算出される輝度値の上限値は２５５で下限値は０であることから、輝度値の中間値は１２８となる。そして、観賞領域Ａ１の明暗（現画像の明暗）を判定する。本実施形態では、上述の平均輝度値と中間値を用いて、平均輝度値が中間値以上であれば「明るい画像」、平均輝度値が中間値未満であれば「暗い画像」と判定する。
【００３３】
次に、上述の判定結果に応じて、観賞領域Ｂ１の平均輝度値の範囲を決定することにより、観賞領域Ａ１と観賞領域Ｂ１の明るさの関係を決める。観賞領域Ａ１が明るい画像と判定された場合は、観賞領域Ｂ１の明るさとして、観賞領域Ｂ１の平均輝度値を、観賞領域Ａ１の平均輝度値以下（平均値以下）の範囲とする。一方、観賞領域Ａ１が暗い画像と判定された場合は、観賞領域Ｂ１の明るさは、観賞領域Ｂ１の平均輝度値の範囲を、観賞領域Ａ１の平均輝度値以上（平均値以上）の範囲とする。そして、以上のように観賞領域Ｂ１の平均輝度値を定めることにより、観賞演出材の明るさを決定する。
【００３４】
本実施形態では、一例として、観賞物１０１が明るい画像と判定された場合は、観賞領域Ｂ１の明るさを黒（輝度値０）に、暗い画像と判定された場合は、観賞領域Ｂ１の明るさを白（輝度値２５５）とする。図８（ａ）および（ｂ）は、本実施形態に係る明るさ判定に基づく鑑賞物と鑑賞演出材の明るさ説明する図である。図８（ａ）は、上記の判定で明るい画像と判定された場合を示しており、観賞領域Ｂ１が「黒」の色とされている。また、図８（ｂ）は、上記の判定で暗い画像と判定された場合を示しており、観賞領域Ｂ１が「白」の色とされている。本実施形態では、観賞領域Ｂ１は均一な色とし、その平均輝度値は、直接測定し、また、その色に応じて求めることができる。なお、観賞演出材がプリント物である壁紙が貼られたものである場合は、観賞領域Ｂ１の平均輝度値は、観賞領域Ａ１と同様にプリントされる原画像の輝度値から算出することもできる。
【００３５】
図９（ａ）は、観賞領域Ａ１が明るい画像と判定された場合の観賞領域Ａ１の画像のヒストグラムを示し、図９（ｂ）は、明るさに対する人間の知覚を入出力関係で示す図である。
【００３６】
観賞領域Ａ１が明るい画像と判定された場合は、本実施形態は、図９（ａ）に示すように、観賞領域Ｂ１の平均輝度値を、観賞領域Ａ１の平均輝度値以下の範囲で一番暗い輝度値（０：黒）とする。その結果、図９（ｂ）に示すように、観賞領域Ａ１に対して、破線（実線は入力と出力の関係がリニアであって、本実施形態の効果がない状態）で示すように、観賞者が知覚する。すなわち、破線が実線より上側に出ているように、知覚上で見かけのダイナミックレンジが広がる。このように、観賞領域Ａ１の平均輝度より観賞領域Ｂ１の平均輝度を暗くすることにより、人間の視覚システム上で、図９（ｂ）の領域９０１に示される明るい側の領域で明るさの対比効果を大きくすることができる。その結果、図９（ａ）の領域９０２に示される画像の主要な明るい部分に対して、特に、知覚上のダイナミックレンジを大きくすることができる。
【００３７】
一方、図１０（ａ）は、観賞領域Ａ１が暗い画像と判定された場合の観賞領域Ａ１の画像のヒストグラムを示し、図１０（ｂ）は、明るさに対する人間の知覚を入出力関係で示す図である。
【００３８】
観賞領域Ａ１が暗い画像と判定された場合は、本実施形態は、図１０（ａ）に示すように、観賞領域Ｂ１の平均輝度値を、観賞領域Ａ１の平均輝度値以上の範囲で一番明るい輝度値（２５５：白）とする。その結果、図１０（ｂ）に示すように、観賞領域Ａ１に対して、破線（実線は入力と出力の関係がリニアであって、本実施形態の効果がない状態）で示すように、観賞者が知覚する。すなわち、破線が実線より下側に出ているように、知覚上で見かけのダイナミックレンジが広がる。このように、観賞領域Ａ１の平均輝度より観賞領域Ｂ１の平均輝度を明るくすることにより、人間の視覚システム上で、図１０（ｂ）の領域１００１に示される暗い側の領域で明るさの対比効果を大きくすることができる。その結果、図１０（ａ）の領域１００２に示される画像の主要な暗い部分に対して、特に、知覚上のダイナミックレンジを大きくすることができる。
【００３９】
以上説明した明暗関係の効果は、観賞領域Ｂ１の平均輝度値と観賞領域Ａ１の平均輝度値の距離（差）が小さい程効果が小さく、大きい程効果が大きくなる。
【００４０】
本実施形態で示したように、観賞領域Ａ１と観賞領域Ｂ１の明るさの関係を適切に定めることにより、観賞物の観賞領域Ａ１の知覚上のダイナミックレンジを広げることができる。これにより、鑑賞領域Ａ１と鑑賞領域Ｂ１による運動視差を効果的に発生させることで、展示セットの奥行き感や没入感といった臨場感が向上する。また、ダイナミックレンジが広がることで、コントラスト、階調の弁別性が向上し臨場感を高めることができる。
【００４１】
なお、観賞物がプリント物でなく絵画のような原画像のデータがない場合、輝度値などの明るさの指標は直接測定するようにすることができる。
【００４２】
（第２実施形態）
本発明の第２の実施形態が、第１実施形態と異なる点は、展示セットを観賞する際に上記明るさの関係の効果を受ける観賞者の観賞位置が、図１１の推奨観賞範囲７０１に示すように、一定の広さを持つ範囲である点と、観賞領域の明るさを照明によって調整する点である。また、本実施形態では、明暗の判定方法も中間値と上限値・下限値との差分から判定する。
【００４３】
図１１は、本発明の第２の実施形態に係る、観賞物および観賞演出材における観賞領域および鑑賞者の観賞領域を説明する図である。図１１に示すように、観賞演出材１０２の観賞領域Ｂ２はその前面である。また、観賞者の観賞位置は、領域１１０１に示す範囲内の任意の位置である。このため、本実施形態では、所定範囲内の任意の位置から観賞物を観賞すると、見えない部分が生じることから、所定範囲内の総ての領域から見ることができる領域（図１２の破線１２０１で示す範囲）を観賞領域Ａ２とする。
【００４４】
先ず、観賞領域Ａ２の明るさとして輝度値を求める。本実施形態では、図１３に示すように、観賞物１０１は、２つの照明１３０１、１３０２を用いて明るさの調整を行い、観賞演出材１０２は、１つの照明１３０３を用いて明るさの調整を行う。そのため、本実施形態では、２つの照明１３０１、１３０２によって明るさ調整された観賞領域Ａに対して、放射輝度計などの計測機器を用い、計測機器が計測可能な所定のピッチで計測することにより、観賞領域Ａ２の輝度値を取得する。このようにして得られた、領域全体の輝度値の和を取り、これを計測点数で除算することにより、観賞領域Ａ２の平均輝度値を算出する。
【００４５】
次に、観賞領域Ａ２の画像が明るい画像か暗い画像かを判断するために、規定される輝度値の上限値と下限値を求める。本実施形態では、観賞物１０１と同様の材料が表現可能な白（観賞物の輝度値の上限値）と、同じく観賞物１０１と同様の材料が表現可能な黒（観賞物の輝度値の下限値）と、を含む計測用パッチの中から、輝度値の上限値と下限値を取得する。
【００４６】
そして、観賞領域Ａ２の明暗（画像の明暗）を判定する。本実施形態では、観賞領域Ａ２の平均輝度値と上述の計測した上限値と下限値を用いて判定する。上限値と平均輝度値との差分Ａと平均輝度値と下限値との差分Ｂを算出し、差分Ａと差分Ｂを大小比較し、差分Ａの方が大きい場合（差分Ａが差分Ｂ以上の場合）は「暗い画像」と判断し、差分Ｂの方が大きい場合（差分Ａが差分Ｂ未満の場合）は「明るい画像」と判定する。
【００４７】
この判定結果から、第１実施形態と同様に観賞領域Ｂ２の平均輝度値の範囲を決定する処理と、観賞演出材の明るさを決定する処理は第１実施形態と同様である。
【００４８】
本実施形態では、観賞領域Ｂ２の平均輝度値は、観賞領域Ｂ２が照明１３０３によって明るさが調整されている環境で放射輝度計を用いて観賞領域Ａ２と同様に求めることができる。そのため、本実施形態では、照明１３０３の照度等を調整することにより観賞領域Ｂ２の平均輝度値を決定した範囲内に入るように調整することが可能である。
【００４９】
本実施形態では、第１実施形態と比較して、観賞物の観賞者が観賞可能な範囲（観賞領域Ａ２）に特化して、観賞領域Ａ２と観賞領域Ｂ２との明るさの対比関係を構成できる。そのため、より観賞環境に適した状態で観賞領域Ａ２の知覚上のダイナミックレンジを広げることができる。これにより、鑑賞領域Ａ１と鑑賞領域Ｂ１による運動視差を効果的に発生させることで、展示セットの奥行き感や没入感といった臨場感が向上する。また、ダイナミックレンジが広がることで、コントラスト、階調の弁別性が向上し臨場感が高めることができる。また、第１実施形態では、観賞領域Ｂ１の明るさを変更する場合は、例えば、貼りつけるプリント物を変更することで観賞演出材自体の明るさを変更する必要があるが、本実施形態では、照明の照度等を調節することで観賞領域の明るさを調整することができる。その結果、より簡易に本発明の明るさの関係を構成することが可能となる。
【００５０】
なお、上述した各実施形態では、観賞領域Ａの明るさを固定とし、観賞領域Ｂの明るさを可変とすることで、観賞領域Ａと観賞領域Ｂの明るさを決定する例を示した。本発明はこれに限られるものではなく、観賞領域Ａの明るさが可変で観賞領域Ｂの明るさが固定とすること、または観賞領域Ａの明るさと観賞領域Ｂの明るさを可変とすることでもよく、本発明で決まる観賞領域Ａと観賞領域Ｂの明るさの関係を満たしていればよい。
【００５１】
また、上述の各実施形態では、いずれも輝度値をもとに観賞領域の明るさの範囲を決めたが、本発明はこれに限られるものではなく、明るさを規定する値として明度値や濃度値を使用して同様の方法で明るさの範囲を決定してもよい。明度値や濃度値であれば、測色計を用いて計測することができる。
【００５２】
さらに、上記の各実施形態では、観賞者が観賞可能な観賞演出材の領域として、例えば、図７に示すように観賞演出材は前面領域を観賞領域としたが、本発明はこれに限定されるものではなく、観賞者が観賞可能な観賞演出材の領域を観賞領域としてよい。また、観賞領域（観賞演出材）が、均一パターンである例を示したが、本発明はこれに限られるものではなく、決められた平均輝度値の範囲になるような画像やパターンであってもよい。
【符号の説明】
【００５３】
１０１    観賞物
１０２    観賞演出材
１３０１、１３０２、１３０３    照明
【図１】
0006736272.tif 000002
【図２】
0006736272.tif 000003
【図３】
0006736272.tif 000004
【図４】
0006736272.tif 000005
【図５】
0006736272.tif 000006
【図６】
0006736272.tif 000007
【図７】
0006736272.tif 000008
【図８】
0006736272.tif 000009
【図９】
0006736272.tif 000010
【図１０】
0006736272.tif 000011
【図１１】
0006736272.tif 000012
【図１２】
0006736272.tif 000013
【図１３】
0006736272.tif 000014